(57)【要約】【課題】安定性が高く、製造コストを低く抑えることができる和式便器用椅子を提供することを課題とする。【解決手段】和式便器の上に据え付けられる和式便器用椅子２の周胴部４の後部下縁に該和式便器１の前覆い部を収容する収容凹部５を設け、また、該周胴部４の左右側下縁にそれぞれ脚部材７を高さ調節可能に取り付けて、該脚部材７の前後間隔を該和式便器１の外幅よりも大きく設定する。該和式便器用椅子２を該和式便器の上に横向きに据え付ける場合には、該脚部材７の高さを高位置に調節して、該周胴部４の下縁が該和式便器の左右側突縁に当接しないようにする。【選択図】    図２
2006198198.tif 000002
【特許請求の範囲】
【請求項１】
和式便器の上に据え付けられる和式便器用椅子であって、座面部と周胴部とからなり、該周胴部の後部下縁には該和式便器の前覆い部を収容する収容凹部が設けられており、該周胴部の左右側下縁にはそれぞれ脚部材が高さ調節可能に取り付けられ、該脚部材の前後間隔は該和式便器の外幅よりも大きく設定されており、
該和式便器用椅子を該和式便器の上に横向きに据え付けた場合に、該脚部材の高さを高位置に調節して、該周胴部の下縁が該和式便器の左右側突縁に当接しないようにしたことを特徴とする和式便器用椅子。
【請求項２】
該脚部材は脚ゴム部材とスペーサー部材とからなり、該周胴部の左右側下縁には嵌着ボス部が設けられており、該嵌着ボス部に取り付けられた該脚ゴム部材に該スペーサー部材を取り付けることによって、該脚部材は高位置に高さ調節可能とされている請求項１に記載の和式便器用椅子。
【請求項３】
該脚部材は脚ゴム部材と嵌着円筒部材とからなり、該脚ゴム部材には突起が設けられており、また、該嵌着円筒部材の内周面には縦溝が設けられ、該縦溝の上下所定箇所には複数個の横溝が設けられており、更に、該周胴部の左右側下縁には嵌着ボス部が設けられており、該嵌着ボス部に取り付けられた該嵌着円筒部材の複数個の横溝のいずれかに該脚ゴム部材の突起を嵌合させることによって、該脚部材は高さ調節可能とされている請求項１に記載の和式便器用椅子。
【請求項４】
該脚部材は脚ゴム部材と嵌着ナット部材とからなり、該脚ゴム部材にはボルト杆が立設されており、また、該周胴部の左右側下縁には嵌着ボス部が設けられており、該嵌着ボス部に取り付けられた該嵌着ナット部材に該脚ゴム部材のボルト杆を螺着させることによって、該脚部材は高さ調節可能とされている請求項１に記載の和式便器用椅子。
【請求項５】
該座面部には中央孔が設けられており、該中央孔からはガイド筒が垂設されており、該ガイド筒の下端開口部は略四角形状とされている請求項１〜請求項４のいずれかに記載の和式便器用椅子。
【請求項６】
該収容凹部には凹部カバーが着脱可能に取り付けられている請求項１〜請求項５のいずれかに記載の和式便器用椅子。
【発明の詳細な説明】
【技術分野】
【０００１】
本発明は、和式便器の上に据え付けられる和式便器用椅子に関する。
【背景技術】
【０００２】
従来、和式便器の上に据え付けられる和式便器用の椅子として、和風便器を覆って床に固定される固定部本体と、該固定部本体に対して任意の方向に取付け可能に固着された筒状体の回転部本体とを有し、該固定部本体と該回転部本体とはバヨネット結合されている和風便器用洋風腰掛が提供されている。
上記の和風便器用洋風腰掛では、固定部本体と回転部本体とのバヨネット結合を外し、固定部本体に対して回転部本体を回動させた後、再び固定部本体と回転部本体とをバヨネット結合して、狭いトイレの部屋に合わせて任意に向きを変更することができる（特許文献１参照）。
【０００３】
【特許文献１】実公昭６２−３６４８０号公報（第１−２頁、第１図）
【発明の開示】
【発明が解決しようとする課題】
【０００４】
しかしながら上記従来の構成では、固定部本体に対して回転部本体を回転させた場合、特に９０度回転させた場合に、和風便器用洋風腰掛の安定性が低下するという問題があった。
また、上記従来の構成では、和風便器用洋風腰掛の向きを変更する場合に、まず固定部本体と回転部本体とのバヨネット結合を外し、固定部本体に対して回転部本体を回動させた後、再び固定部本体と回転部本体とをバヨネット結合する必要があり、和風便器用洋風腰掛の向きを変更する作業に手間がかかるという問題があった。
更に、上記従来の構成では、固定部本体と回転部本体とがそれぞれ別体とされており、かつ、それら相互の取付け部分の構造が複雑であるため、製造コストが高くなるという問題があった。
【課題を解決するための手段】
【０００５】
本発明は上記従来の課題を解決するための手段として、和式便器１の上に据え付けられる和式便器用椅子２であって、座面部３と周胴部４とからなり、該周胴部４の後部下縁には該和式便器１の前覆い部３０を収容する収容凹部５が設けられており、該周胴部４の左右側下縁にはそれぞれ脚部材７，３４，４２が高さ調節可能に取り付けられ、該脚部材７，３４，４２の前後間隔Ｓは該和式便器１の外幅Ｗよりも大きく設定されており、該和式便器用椅子２を該和式便器１の上に横向きに据え付けた場合に、該脚部材７，３４，４２の高さを高位置に調節して、該周胴部４の下縁が該和式便器１の左右側突縁３１に当接しないようにした和式便器用椅子２を提供するものである。
該脚部材７は脚ゴム部材１０とスペーサー部材１１とからなり、該周胴部４の左右側下縁には嵌着ボス部９が設けられており、該嵌着ボス部９に取り付けられた該脚ゴム部材１０に該スペーサー部材１１を取り付けることによって、該脚部材７は高位置に高さ調節可能とされていることが望ましい。
または、該脚部材３４は脚ゴム部材３２と嵌着円筒部材３３とからなり、該脚ゴム部材３２には突起３７が設けられており、また、該嵌着円筒部材３３の内周面には縦溝３８が設けられ、該縦溝３８の上下所定箇所には複数個の横溝３９が設けられており、更に、該周胴部４の左右側下縁には嵌着ボス部９が設けられており、該嵌着ボス部９に取り付けられた該嵌着円筒部材３３の複数個の横溝３９のいずれかに該脚ゴム部材３２の突起３７を嵌合させることによって、該脚部材３４は高さ調節可能とされていることが望ましい。
または、該脚部材４２は脚ゴム部材４０と嵌着ナット部材４１とからなり、該脚ゴム部材４０にはボルト杆４４が立設されており、また、該周胴部の左右側下縁には嵌着ボス部が設けられており、該嵌着ボス部に取り付けられた該嵌着ナット部材４１に該脚ゴム部材４０のボルト杆４４を螺着させることによって、該脚部材４２は高さ調節可能とされていることが望ましい。
更に、該座面部３には中央孔１８が設けられており、該中央孔１８からはガイド筒２０が垂設されており、該ガイド筒２０の下端開口部１９は略四角形状とされていることが望ましい。
また更に、該収容凹部５には凹部カバー６が着脱可能に取り付けられていることが望ましい。
【発明の効果】
【０００６】
本発明の和式便器用椅子２では、該和式便器用椅子２を９０度回転させて使用した場合、すなわち、該和式便器用椅子２を和式便器１の上に横向きに据え付けた場合であっても、該脚部材７，３４，４２の高さを高位置に調節することによって、該周胴部４の下縁が該和式便器１の左右側突縁３１に当接するのを防止することができるので、該和式便器用椅子２の安定性が高い。
また、本発明の和式便器用椅子２では、和式便器用椅子２の向きを変更する場合に、該和式便器用椅子２を持ち上げて９０度回転させた後、該和式便器用椅子２を再び和式便器１の上に再び据え付けるだけで済むため、和式便器用椅子２の向きを変更する作業は大きな労力を要することもなく非常に容易である。
更に、本発明の和式便器用椅子２は一体品であり、構造がシンプルであるため、製造コストを低く抑えることができる。
【発明を実施するための最良の形態】
【０００７】
以下、本発明を実施例１〜実施例３により詳細に説明する。
【実施例１】
【０００８】
本発明を図１〜図８に示す一実施例によって説明する。
図１〜図３に示すように、和式便器１の上に据え付けられる和式便器用椅子２は、座面部３と周胴部４とを有している。そして、該周胴部４の後端下縁には略半円形状の収容凹部５が設けられており、該収容凹部５には該収容凹部５の形状に対応した略半円形状の凹部カバー６が上下摺動可能かつ着脱可能に取り付けられている。
【０００９】
該和式便器用椅子２の周胴部４の左右側下縁には、前後一対の脚部材７がそれぞれ取り付けられており、該前後一対の脚部材７の前後間隔Ｓは、該和式便器１の外幅Ｗ（左右側突縁３１の外寸）よりも大きく設定されている（図７参照）。
図４に示すように、該周胴部４の左右側下縁には、補強リブ８を介して嵌着ボス部９が設けられている。一方、該脚部材７は、脚ゴム部材１０とスペーサー部材１１とからなる。該脚ゴム部材１０は、滑り止め用の脚ゴム部１２と嵌着軸部１３とからなり、該周胴部４の嵌着ボス部９には該脚ゴム部材１０の嵌着軸部１３が挿入されて嵌着されている。本実施例では、該嵌着軸部１３の外周面には係止環部１４が凸設されており、該周胴部４の嵌着ボス部９に該脚ゴム部材１０の嵌着軸部１３を挿入嵌着したときに、該係止環部１４が該嵌着ボス部９の内周面に係止して、該脚ゴム部材１０が該嵌着ボス部９から不意に抜けることが防止されている（図６および図８参照）。
【００１０】
また、図４に示すように、該脚部材７のスペーサー部材１１は、滑り止め用の下側脚ゴム部１５と下側嵌着軸部１６とからなる。そして、該脚ゴム部材１０の脚ゴム部１２の下面には嵌着孔１７が凹設されており、該スペーサー部材１１の下側嵌着軸部１６を該嵌着孔１７に下側から嵌着することによって、該脚ゴム部材１０に該スペーサー部材１１を取り付けることができるように構成されている（図８参照）。
【００１１】
一方、該和式便器用椅子２の座面部３の中央には中央孔１８が設けられており、該中央孔１８からは略四角形状の下端開口部１９を有するガイド筒２０が垂設されている（図３参照）。本実施例では、該ガイド筒２０の下端開口部１９の幅（対辺間寸法）は和式便器１の内幅（左右側突縁３１の内寸）よりも小さく設定されており、排泄物等の汚物が和式便器１の外側に飛散するのを防止することができるようにされている。
【００１２】
また、図３に示すように、該座面部３の上面後部にはヒンジ部２１が設けられており、該ヒンジ部２１を介して便座２２と便蓋２３が跳ね上げ可能に蝶着されている。なお、該ヒンジ部２１の内部には緩衝用のオイルダンパー（図示せず）が設けられている。
更に、該座面部３の上面後縁には当接凸部２４が設けられており、便蓋２３を跳ね上げた場合に該便蓋２３の背面（上面）が該当接凸部２４に当接することにより、該跳ね上げた便蓋２３がそれ以上後側に倒れることが防止されている。
【００１３】
また更に、該周胴部４の左右前側部分には足引き凹部２５が設けられており、該足引き凹部２５によって使用者が立ち上がる際に足を引くためのスペースが確保されている。
また、該周胴部４の前側上縁部には手掛り凹部２６が設けられており、使用者は該手掛り凹部２６から手を差し入れて該便蓋２３を跳ね上げる際の手掛りとすることができるように構成されている。
【００１４】
なお、該周胴部４の収容凹部５の左右両側下縁部には凸段部が設けられており、該凸段部の内側面には嵌合溝（図示せず）が凹設されている。一方、該凹部カバー６の左右両側下縁部には凹段部が設けられており、該凹段部の外側面には嵌合凸条２９が凸設されている。
本実施例では、該凹部カバー６の嵌合凸条２９を該収容凹部５の嵌合溝に嵌合させることによって、該凹部カバー６を該収容凹部５に上下摺動可能かつ着脱可能に取り付けることができるように構成されている。
【００１５】
図５に示すように、上記の和式便器用椅子２を和式便器１の向きに沿って使用する場合には、周胴部４の収容凹部５の凹部カバー６を取り外し、該和式便器１の前覆い部３０を該収容凹部５に嵌合して収容する。
この場合、図６に示すように、周胴部４の嵌着ボス部９に脚部材７の脚ゴム部材１０のみを取り付ける。なお、本実施例では、該周胴部４の嵌着ボス部９に該脚部材７の脚ゴム部材１０のみを取り付けた場合、該脚部材７の高さｈ１（該脚ゴム部材１０の脚ゴム部１２の下端と和式便器用椅子２の周胴部４の下端との間隔）は、低位置（ｈ１＝１ｍｍ〜５ｍｍ）に設定されている。
このように、該和式便器用椅子２を和式便器１に据え付けることにより、使用者は該和式便器用椅子２に腰掛けて、和式便器１を洋式便器のように使用することができる。
【００１６】
図７に示すように、上記の和式便器用椅子２を和式便器１の上に横向きに据え付ける場合には、周胴部４の収容凹部５に凹部カバー６を取り付け、該和式便器用椅子２を９０度回転させて和式便器１の上に据え付ける。
この場合、図８に示すように、該周胴部４の嵌着ボス部９に取り付けられた脚部材７の脚ゴム部材１０の下側に更にスペーサー部材１１を取り付ける。なお、本実施例では、該脚ゴム部材１０に該スペーサー部材１１を取り付けた場合、該脚部材７の高さｈ２は（該スペーサー部材１１の下側脚ゴム部１５の下端と和式便器用椅子２の周胴部４の下端との間隔）は、高位置（ｈ２＝１３ｍｍ〜２０ｍｍ）に設定されており、和式便器１の左右側突縁３１の床面からの高さＨよりも高く設定されている。したがって、和式便器用椅子２を据え付ける場合に、該周胴部４の下縁が該和式便器１の左右側突縁３１に当接するのを確実に防止することができる。
また本実施例では、図７に示すように、該脚部材７の前後間隔Ｓが該和式便器１の外幅Ｗよりも大きく設定されているので、和式便器用椅子２を据え付ける場合に、該和式便器用椅子２の周胴部４の下縁が和式便器１の左右側突縁３１に干渉することがない。
このように、該和式便器用椅子２を９０度回転させて和式便器１に据え付けることにより、トイレの部屋の構造や広さ等に制約がある場合であっても、使用者は該和式便器用椅子２に腰掛けて、和式便器１を洋式便器のように使用することができる。
【００１７】
上記の和式便器用椅子２では、該和式便器用椅子２を９０度回転させて使用した場合、すなわち、該和式便器用椅子２を和式便器１の上に横向きに据え付けた場合であっても、該脚部材７の高さを高位置に調節することによって、該周胴部４の下縁が該和式便器１の左右側突縁３１に当接するのを防止することができるので、該和式便器用椅子２の安定性が高い。
また、上記の和式便器用椅子２では、和式便器用椅子２の向きを変更する場合に、該和式便器用椅子２を持ち上げて９０度回転させた後、該和式便器用椅子２を再び和式便器１の上に再び据え付けるだけで済むため、和式便器用椅子２の向きを変更する作業は大きな労力を要することもなく非常に容易である。
更に、上記の和式便器用椅子２は一体品であり、構造がシンプルであるため、製造コストを低く抑えることができる。
【００１８】
本実施例では、該嵌着ボス部９に該脚ゴム部材１０のみを取り付けることによって、該脚部材７の高さを低位置に調節することができ、また、該嵌着ボス部９に取り付けられた該脚ゴム部材１０に該スペーサー部材１１を取り付けることによって、該脚部材７の高さを高位置に調節することができる。
【００１９】
該ガイド筒２０の下端開口部１９が略四角形状とされており、該ガイド筒２０の下端開口部１９の幅（対辺間寸法）が和式便器１の内幅（左右側突縁３１の内寸）よりも小さく設定されているいるので、和式便器用椅子２は横向きに使用する場合でも、該ガイド筒２０の下端開口部１９が和式便器１の左右側突縁３１と干渉することがない（図５および図７参照）。
なお、該ガイド筒２０の下端開口部１９の形状は円形とされていてもよいが、大きな開口面積を確保して、汚物の付着によるガイド筒２０の汚れを少なくすることができるので、該ガイド筒２０の下端開口部１９の形状は略四角形状のほうが好ましい。
【００２０】
該収容凹部５には凹部カバー６が着脱可能に取り付けられているので、該和式便器用椅子２を９０度回転させて使用した場合、すなわち、該和式便器用椅子２を和式便器１の上に横向きに据え付けた場合に、該収容凹部５を該凹部カバー６で覆うことによって、該収容凹部５から臭気が外部へ漏れるのを防止することができるとともに、該和式便器用椅子２の美観を損なうことがない。
【実施例２】
【００２１】
図９〜図１１には他の実施例が示される。
図１〜図８に示した実施例１では、和式便器用椅子２の周胴部４の左右側下縁に脚ゴム部材１０とスペーサー部材１１とからなる脚部材７が取り付けられていたのに対して、本実施例では、図９に示すように、該和式便器用椅子２の周胴部４の左右側下縁には、脚ゴム部材３２と嵌着円筒部材３３とからなる前後一対の脚部材３４がそれぞれ取り付けられている。なお、該前後一対の脚部材３４の前後間隔Ｓは、実施例１と同様、該和式便器１の外幅Ｗよりも大きく設定されている（図７参照）。
【００２２】
図９に示すように、該周胴部４の左右側下縁には、実施例１と同様、補強リブ８を介して嵌着ボス部９が設けられている。一方、該脚部材３４の脚ゴム部材３２は、滑り止め用の脚ゴム部３５と摺動軸部３６とからなり、該摺動軸部３６には一対の突起３７が凸設されている。また、該脚部材３４の嵌着円筒部材３３は二分割されており、一対の嵌着円筒部材３３の内周面にはそれぞれ一条の縦溝３８が設けられており、更に、該縦溝３８の上下所定箇所には二条の横溝３９が設けられている。
そして、該脚ゴム部材３２の摺動軸部３６の突起３７が該嵌着円筒部材３３の縦溝３８または横溝３９に摺動可能に嵌入された状態で、該脚ゴム部材３２は該嵌着円筒部材３３に摺動可能かつ回転可能に挟持されており、更に、このように該脚ゴム部材３２が該嵌着円筒部材３３に挟持された状態で、該嵌着円筒部材３３は周胴部４の嵌着ボス部９に挿入されて嵌着されている。
【００２３】
上記の和式便器用椅子２を和式便器１の向きに沿って使用する場合には、実施例１と同様、周胴部４の収容凹部５の凹部カバー６を取り外し、該和式便器１の前覆い部３０を該収容凹部５に嵌合して収容する。
この場合、図１０に示すように、該周胴部４の嵌着ボス部９に取り付けられた該嵌着円筒部材３３の上側の横溝３９に該脚ゴム部材３２の摺動軸部３６の突起３７を嵌合させる。なお、本実施例では、該嵌着円筒部材３３の上側の横溝３９に該脚ゴム部材３２の摺動軸部３６の突起３７を嵌合させた場合、該脚部材３４の高さｈ１（該脚ゴム部材３２の脚ゴム部３５の下端と和式便器用椅子２の周胴部４の下端との間隔）は、低位置（ｈ１＝１ｍｍ〜５ｍｍ）に設定されている。
このように、該和式便器用椅子２を和式便器１に据え付けることにより、使用者は該和式便器用椅子２に腰掛けて、和式便器１を洋式便器のように使用することができる。
【００２４】
上記の和式便器用椅子２を和式便器１の上に横向きに据え付ける場合には、実施例１と同様、周胴部４の収容凹部５に凹部カバー６を取り付け、該和式便器用椅子２を９０度回転させて和式便器１の上に据え付ける。
この場合、該脚ゴム部材３２を該嵌着円筒部材３３に対して回転させて、該嵌着円筒部材３３の上側の横溝３９に嵌合している該脚ゴム部材３２の摺動軸部３６の突起３７を該嵌着円筒部材３３の縦溝３８に嵌合させた後、該脚ゴム部材３２を該嵌着円筒部材３３に対して下向きに摺動させて、該脚ゴム部材３２の摺動軸部３６の突起３７を該嵌着円筒部材３３の下側の横溝３９の位置まで摺動させ、その後、該脚ゴム部材３２を該嵌着円筒部材３３に対して逆回転させて、該脚ゴム部材３２の摺動軸部３６の突起３７を該嵌着円筒部材３３の下側の横溝３９に嵌合させる。
【００２５】
このようにして、図１１に示すように、該周胴部４の嵌着ボス部９に取り付けられた該嵌着円筒部材３３の下側の横溝３９に該脚ゴム部材３２の摺動軸部３６の突起３７を嵌合させる。なお、本実施例では、該嵌着円筒部材３３の下側の横溝３９に該脚ゴム部材３２の摺動軸部３６の突起３７を嵌合させた場合、該脚部材３４の高さｈ２は（該脚ゴム部材３２の脚ゴム部３５の下端と和式便器用椅子２の周胴部４の下端との間隔）は、高位置（ｈ２＝１３ｍｍ〜２０ｍｍ）に設定されており、和式便器１の左右側突縁３１の床面からの高さＨよりも高く設定されている。したがって、和式便器用椅子２を据え付ける場合に、該周胴部４の下縁が該和式便器１の左右側突縁３１に当接するのを確実に防止することができる。
また本実施例でも、実施例１と同様、該脚部材３４の前後間隔Ｓが該和式便器１の外幅Ｗよりも大きく設定されているので、和式便器用椅子２を据え付ける場合に、該和式便器用椅子２の周胴部４の下縁が和式便器１の左右側突縁３１に干渉することがない（図７参照）。
このように、該和式便器用椅子２を９０度回転させて和式便器１に据え付けることにより、トイレの部屋の構造や広さ等に制約がある場合であっても、使用者は該和式便器用椅子２に腰掛けて、和式便器１を洋式便器のように使用することができる。
【００２６】
上記の和式便器用椅子２でも、実施例１と同様の作用効果を奏することができる。
本実施例では、該周胴部４の嵌着ボス部９に取り付けられた該嵌着円筒部材３３の二条の横溝３９のいずれかに該脚ゴム部材３２の摺動軸部３６の突起３７を嵌合させることによって、該脚部材３４の高さを二段階調節することができる。
【実施例３】
【００２７】
図１２〜図１４には更に他の実施例が示される。
図１〜図８に示した実施例１では、和式便器用椅子２の周胴部４の左右側下縁に脚ゴム部材１０とスペーサー部材１１とからなる脚部材７が取り付けられていたのに対して、本実施例では、図１２に示すように、該和式便器用椅子２の周胴部４の左右側下縁には、脚ゴム部材４０と嵌着ナット部材４１とからなる前後一対の脚部材４２がそれぞれ取り付けられている。なお、該前後一対の脚部材４２の前後間隔Ｓは、実施例１と同様、該和式便器１の外幅Ｗよりも大きく設定されている（図７参照）。
【００２８】
図１２に示すように、該周胴部４の左右側下縁には、実施例１と同様、補強リブ８を介して嵌着ボス部９が設けられている。一方、該脚部材４２の脚ゴム部材４０は、滑り止め用の脚ゴム部４３と、該脚ゴム部４３の中央部から立設されるボルト杆４４とからなる。また、該脚ゴム部４３の外周面には、該脚ゴム部材４０を回転させるときに手掛りとなる複数個の手掛りリブ４５が凸設されている。更に、該脚部材４２の嵌着ナット部材４１の内周面には、該脚ゴム部材４０のボルト杆４４を螺着するためのねじ溝４６が設けられている。
そして、該脚ゴム部材４０のボルト杆４４を該嵌着ナット部材４１のねじ溝４６に螺着することにより、該脚ゴム部材４０は該嵌着ナット部材４１に上下位置調節可能に取り付けられており、更に、このように該脚ゴム部材４０が該嵌着ナット部材４１に取り付けられた状態で、該嵌着ナット部材４１は周胴部４の嵌着ボス部９に挿入固定されている。
【００２９】
上記の和式便器用椅子２を和式便器１の向きに沿って使用する場合には、実施例１と同様、周胴部４の収容凹部５の凹部カバー６を取り外し、該和式便器１の前覆い部３０を該収容凹部５に嵌合して収容する。
この場合、図１３に示すように、該脚ゴム部材４０のボルト杆４４を回転させて、該周胴部４の嵌着ボス部９に取り付けられた該嵌着ナット部材４１の最深部まで該脚ゴム部材４０のボルト杆４４を螺入させる。なお、本実施例では、該該嵌着ナット部材４１の最深部まで該脚ゴム部材４０のボルト杆４４を螺入させた場合、該脚部材４２の高さｈ１（該脚ゴム部材４０の脚ゴム部４３の下端と和式便器用椅子２の周胴部４の下端との間隔）は、低位置（ｈ１＝１ｍｍ〜５ｍｍ）に設定されている。
このように、該和式便器用椅子２を和式便器１に据え付けることにより、使用者は該和式便器用椅子２に腰掛けて、和式便器１を洋式便器のように使用することができる。
【００３０】
上記の和式便器用椅子２を和式便器１の上に横向きに据え付ける場合には、実施例１と同様、周胴部４の収容凹部５に凹部カバー６を取り付け、該和式便器用椅子２を９０度回転させて和式便器１の上に据え付ける。
この場合、図１４に示すように、該脚ゴム部材４０のボルト杆４４を逆回転させて、該嵌着ナット部材４１の所定の位置（本実施例では嵌着ナット部材４１の略中間位置）まで該脚ゴム部材４０のボルト杆４４を螺出させる。なお、本実施例では、該嵌着ナット部材４１の略中間位置に該脚ゴム部材４０のボルト杆４４を螺出させた場合、該脚部材４２の高さｈ２は（該脚ゴム部材４０の脚ゴム部４３の下端と和式便器用椅子２の周胴部４の下端との間隔）は、高位置（ｈ２＝１３ｍｍ〜２０ｍｍ）に設定されており、和式便器１の左右側突縁３１の床面からの高さＨよりも高く設定されている。したがって、和式便器用椅子２を据え付ける場合に、該周胴部４の下縁が該和式便器１の左右側突縁３１に当接するのを確実に防止することができる。
また本実施例でも、実施例１と同様、該脚部材４２の前後間隔Ｓが該和式便器１の外幅Ｗよりも大きく設定されているので、和式便器用椅子２を据え付ける場合に、該和式便器用椅子２の周胴部４の下縁が和式便器１の左右側突縁３１に干渉することがない（図７参照）。
このように、該和式便器用椅子２を９０度回転させて和式便器１に据え付けることにより、トイレの部屋の構造や広さ等に制約がある場合であっても、使用者は該和式便器用椅子２に腰掛けて、和式便器１を洋式便器のように使用することができる。
【００３１】
上記の和式便器用椅子２でも、実施例１と同様の作用効果を奏することができる。
本実施例では、該周胴部４の嵌着ボス部９に取り付けられた該嵌着ナット部材４１のねじ溝４６に該脚ゴム部材４０のボルト杆４４を任意の深さまで螺着させることによって、該脚部材４２の高さを無断階調節することができる。
【００３２】
以上、本発明の実施の形態を実施例により説明したが、本発明の範囲はこれらに限定されるものではなく、請求項に記載された範囲内において目的に応じて変更・変形することが可能である。
例えば、上記実施例では、和式便器用椅子２をトイレの床面等に安定に載置するものとして説明したが、上記実施例以外、和式便器用椅子２の周胴部４の下部の四隅にはアンカーボルト孔（図示せず）が設けられており、該アンカーボルト孔を介してアンカーボルト（図示せず）をトイレの床面等に打ち込むことにより、該和式便器用椅子２を強固かつ安定に固定するものであってもよい。
【産業上の利用可能性】
【００３３】
本発明は、安定性が高く、製造コストを低く抑えることができる和式便器用椅子として、産業上利用することが出来る。
【図面の簡単な説明】
【００３４】
【図１】実施例１の和式便器用椅子の斜視図である。
【図２】実施例１の和式便器用椅子の後側からの斜視図である。
【図３】実施例１の和式便器用椅子の分解斜視図である。
【図４】実施例１の脚部材の分解斜視図である。
【図５】和式便器用椅子を和式便器の向きに沿って使用した状態を示す説明平面図である。
【図６】実施例１の脚部材（低位置）の説明正断面図である。
【図７】和式便器用椅子を和式便器の上に横向きに据え付けた状態を示す説明平面図である。
【図８】実施例１の脚部材（高位置）の説明側断面図である。
【図９】実施例２の脚部材の分解斜視図である。
【図１０】実施例２の脚部材（低位置）の説明正断面図である。
【図１１】実施例２の脚部材（高位置）の説明側断面図である。
【図１２】実施例３の脚部材の分解斜視図である。
【図１３】実施例３の脚部材（低位置）の説明正断面図である。
【図１４】実施例３の脚部材（高位置）の説明側断面図である。
【符号の説明】
【００３５】
１  和式便器
２  和式便器用椅子
３  座面部
４  周胴部
５  収容凹部
６  凹部カバー
７  脚部材
９  嵌着ボス部
１０  脚ゴム部材
１１  スペーサー部材
１８  中央孔
１９  下端開口部
２０  ガイド筒
３０  前覆い部
３１  左右側突縁
３２  脚ゴム部材
３３  嵌着円筒部材
３４  脚部材
３７  突起
３８  縦溝
３９  横溝
４０  脚ゴム部材
４１  嵌着ナット部材
４２  脚部材
４４  ボルト杆
Ｓ  脚部材の前後間隔
Ｗ  和式便器の外幅
【図１】
2006198198.tif 000003
【図２】
2006198198.tif 000004
【図３】
2006198198.tif 000005
【図４】
2006198198.tif 000006
【図５】
2006198198.tif 000007
【図６】
2006198198.tif 000008
【図７】
2006198198.tif 000009
【図８】
2006198198.tif 000010
【図９】
2006198198.tif 000011
【図１０】
2006198198.tif 000012
【図１１】
2006198198.tif 000013
【図１２】
2006198198.tif 000014
【図１３】
2006198198.tif 000015
【図１４】
2006198198.tif 000016